(57)【要約】本発明は，ピン柱の腕金に設置されて高圧電線を絶縁支持するＬＰ碍子に関するもので，電線の挿入が可能な開閉ローラと碍子結合具からなる電線延線ローラを形成して，ＬＰ碍子の上面に直接結合設置して，各ローラの間に電線を内挿させて各種作業ができるように構成することによって，電線の延線及び緊線後の位置を再移動させる必要がないので，作業能率を画期的に向上させて工事原価を大きく節減でき，重量の重い電線でも容易に配線及び撤去ができるので，作業が簡単で容易であり，且つ人件費の節減と安全事故の予防にも大きな効果があり，緊線作業を行う時には電線が設置する碍子上にあるので，正確なディップ（境間内における電線の引き伸ばした程度）調整が可能であるだけでなく，無停電工法を利用した作業時には作業空間の確保問題も解決できる新工法及び電線延線用ローラをとからなる。
2004531190.tif 000002
【特許請求の範囲】
【請求項１】
前後の支持ブラケット（１１），（１１’）と，その下部位置に前記ブランケットにより回動可能に載置された上部ローラ（１２）と，その上部に固定された取っ手（１３）と，を有する上部支持手段（１０）と，
前記後側支持ブラケット（１１’）に回転可能に垂直に軸設され，同一方向に垂直ローラ（２１）を有する垂直支持手段（２０）と，
前記垂直支持手段（２０）と同軸上で回転し，碍子の上部に結びついて半円状の内周面を有するパッド（３１）と，締めクランプ（３２）を有する碍子結合手段（３０）と，及び，
前記碍子結合手段（３０）の外側に水平方向に軸設されたＬ状ローラ支持具（４１）と，
その先端にスプリングを有するロッキング部（４４）により前記前側支持ブラケット（１１）の結合溝（１４）に嵌入される縦ローラ（４２）と，パッド（３１）の上面より上部に突出する下部ローラ（４３）とを有する開閉手段（４０）と，から構成される，
ことを特徴とするＬＰ碍子用電線延線ローラ。
【請求項２】
碍子結合手段（３０）を使用してＬＰ碍子の上部に電線延線ローラを結合する工程と，
前記電線延線ローラの開閉手段（４０）を開口して，電線を挿入する工程と，
前記開閉手段（４０）の回動により前記挿入された電線を内部空間内に閉じ込こめて，同時に，挺子の原理により前記碍子の表面よりも高い位置に電線を上昇させることにより前記電線を円滑に移動させる工程と，
上昇されて，ローラ．により自由に移動可能な状態の電線を延線及び緊線させる工程と，
前記開閉手段（４０）により緊線された電線を支持するローラ（４３）を下降させて，前記碍子の上部表面に前記電線を載置する工程と，
前記電線延線ローラを前記碍子から分離させる工程と，からなる，
ことを特徴とするＬＰ碍子用電線延線ローラを利用した電線配線工法。
【発明の詳細な説明】
【技術分野】
【０００１】
本発明は，ピン柱の腕金に設置されて高圧電線を絶縁支持するＬＰ碍子において，電線の設置時や，撤去または入替え時に，ＬＰ碍子の上面で電線の延線作業（電線を延ばす作業）または緊線作業（電線をピンと引っ張る作業）を行なう時に使用するＬＰ碍子用電線延線ローラ及びこれを利用した電線配線工法に関するものである。
【背景技術】
【０００２】
従来における配電線路の電気工事に使用される電線の延線用ローラは，腕金に設置され電線の延線作業時における電線の損傷を防止し，延線作業が容易にできるようにしている。これは，腕金に容易に離脱できかつ強固に固定することができる。電線延線用ローラを容易に開閉可能にすることにより，その上部側は，電線の配線作業，電線の設置及び撤去時に電線延線するためのロープの挿入が容易にするように開閉可能である。電線延線用ローラにおいては，ローラは，電線やロープの移動時に摩擦が発生しないように形成されている。下部においては，図６ａ〜図６ｃに示すように，電線延線用ローラは，ＬＰ碍子ではなく別の位置の腕金から離脱するように構成されている。
【発明の開示】
【発明が解決しようとする課題】
【０００３】
しかしながら，従来における腕金付着型の電線延線用ローラにおいては，電線配線作業時及び電線撤去作業時の双方の電線延線中に，電線は電線延線用ローラに延線される。このため，新しい電線を設置するためには，一旦電線の延線作業と緊線作業とを終了して，再び，電線延線用ローラからＬＰ碍子の上部の設置場所に電線を移動させてＬＰ碍子の上部に縛られて固定される。
【０００４】
電線撤去作業は，ＬＰ碍子の上部からバインダーを取り除いた後，電線延線用ローラに電線を移動させた後に，実行される。
【０００５】
このとき，新しく設置する電線を電線延線用ローラからＬＰ碍子の上部に移動する作業を実行する際，及び撤去された電線をＬＰ碍子の上部から電線延線用ローラに移動し，設置する作業において，作業が非能率的であり，多くの人件費が必要とされる。さらに，高い電柱の上では，熟練した配電工であっても危険な状態におかれる。
【０００６】
産業社会が発展するに従って，大容量の電力が必要とされるようになり，重い重量で太い電線が要求されている。このため，人力により電線を電線延線用ローラから超高圧碍子への移動させ，それを設置するのは困難である。さらに，標準長柱ではない片出長柱が使用されている場合には，人力による移動や設置は不可能である。
【０００７】
さらに，無停電工法を利用して電線作業を行う際には，電線延線ローラを腕金に設置するための作業空間を確保することも困難である。
【課題を解決するための手段】
【０００８】
したがって，本発明は，電線の延線及び緊線後の位置を再移動させる必要がないので作業能率を画期的に向上させて工事原価を大きく節減でき，重い重量の電線でも容易に配線及び撤去ができるので作業が簡単で容易であり，かつ人件費の節減と安全事故の予防にも大きな効果があり，緊線作業を行う時には電線が設置する碍子上にあるので正確なディップ（電線の垂れ下がり具合）の調整が可能であるだけでなく，無停電工法を利用した作業時には作業空間の確保の問題も解決することが可能な新工法及び電線延線用ローラを提供することにその目的がある。
【発明の効果】
【０００９】
本発明においては，ＬＰ碍子上の電線を架設する際において，開閉が可能な上下左右ローラが設けられた電線延線ローラをＬＰ碍子上に直接結合して使用する。このことにより，延線及び緊線後に電線の位置を変更する必要がないので，作業効率が劇的に向上し，作業が容易であり，人件費が効果的に節減でき，正確なディップ（ｄｉｐ）を調整することができる。
【発明を実施するための最良の形態】
【００１０】
以下，添付図面を参照して本発明の実施形態について詳細に説明する。
【００１１】
図１は，本発明の延線ローラが展開した状態の全体斜視図であり，図２は延線ローラがＬＰ碍子の上部に装着された状態の斜視図である。
【００１２】
電線延線ローラは，前後の支持ブラケット１１，１１’と，その下部位置に前記ブランケットにより回動可能に載置された上部ローラ１２と，その上部に固定された取っ手１３と，を有する上部支持手段１０と，後側支持ブラケット１１’に回転可能に垂直に軸設され，同一方向に垂直ローラ２１を有する垂直支持手段２０と，垂直支持手段２０と同軸上で回転し，碍子の上部に結びついて半円状の内周面を有するパッド３１と，締めクランプ３２を有する碍子結合手段３０と，及び，碍子結合手段３０の外側に水平方向に軸設されたＬ状ローラ支持具４１と，その先端にスプリングを有するロッキング部４４により前側支持ブラケット１１の結合溝１４に嵌入される縦ローラ４２と，パッド３１の上面より上部に突出する下部ローラ４３とを有する開閉手段４０と，から構成される，
【００１３】
さらに，上電線延線ローラを利用した電線配線工法を工程別に説明する。
【００１４】
本発明の電線配線工法は，碍子結合手段３０を使用してＬＰ碍子の上部に電線延線ローラを結合する工程と，電線延線ローラの開閉手段４０を開口して，電線を挿入する工程と，開閉手段４０の回動により挿入された電線を内部空間内に閉じ込こめて，同時に，挺子の原理により前記碍子の表面よりも高い位置に電線を上昇させることにより電線を円滑に移動させる工程と，上昇されて，ローラにより自由に移動可能な状態の電線を延線及び緊線させる工程と，開閉手段４０により緊線された電線を支持するローラ４３を下降させて，碍子の上部表面に電線を載置する工程と，電線延線ローラを前記碍子から分離させる工程と，を含む。
【００１５】
このように構成された本発明の作用を説明する。
【００１６】
本発明の電線延線ローラをＬＰ碍子に設置する際には，まず下部の碍子結合手段３０のパッド３１を後側の軸点を中心に広げてＬＰ碍子の上部溝に嵌入した後，再びパッド３１を縮めて，その前面の締めクランプ３２を締めることによって，電線連結ローラがＬＰ碍子の上部に強固に固定することができる。ここで，パッド３１は，絶縁材の軟質プラスチック材で構成されているので，電線の電流が遮断でき，結合の際には，ＬＰ碍子が損傷するのを防止できる。
【００１７】
このようにＬＰ碍子の上部に設置された電線延線ローラに対して，まず開閉手段４０のＬ状ローラ支持具４１を左右に広げてその内部空間を開放させた状態で，設置する電線をその内部に内挿した後，碍子結合手段３０によりＬＰ碍子の上部に結合する。次いで，Ｌ状ローラ支持具４１を内側に回動させて，Ｌ状ローラ支持具４１の縦ローラ４２の上部を前方支持ブラケット１１の結合溝１４に嵌入すると，そのスプリング力によりロッキング支持される。このことにより，図３に示すように，電線１が各ローラ１２，２１，４２，４３の間に閉じ込められると共に，図４に示すように，Ｌ状ローラ支持具４１の下部ローラ４３が，その軸点を中心にして回動しながら上部に突出上昇して，挺子の原理により電線１を上部に上昇させた状態で支持する。
【００１８】
したがって，電線１の底面がＬＰ碍子から離隔されながらローラ４３に当接されるので，その移動が自由にスムーズになる。このことにより，電線の延線や緊線のために電線を移動させる際に，作業が簡便で，且つ容易であるので，ケーブルや碍子表面の損傷が防止できる。
【００１９】
このような方法で電線の緊線作業を完了した後，電線を再度ＬＰ碍子に結合する際には，上記延線及び緊線時と反対の順序に進行する。即ち，縦ローラ４２のロッキング部４４を持ち上げてロッキングを解除した後，Ｌ状ローラ支持具４１を左右に展開させると，上昇したローラ４３が下降し，さらに，その上部に支持されていた電線１が下降しながらＬＰ碍子の上部表面に載置される。
【００２０】
電線を載置した後，締めクランプ３２を解除して電線延線ローラを碍子から離脱させると，緊線された電線がＬＰ碍子の上部に載置された状態になる。このような状態でバインディング作業を行うことによって，電線の入替え作業などを完了することができる。
【００２１】
従来の方法においては，電線の配線工事の際に，別途に腕金に設置された電線延線ローラにより延線及び緊線を完了した後，さらにＬＰ碍子の上部に移して設置していた。しかしながら，本発明においては，電線をＬＰ碍子から延線ローラに，または延線ローラからＬＰ碍子に移設するという２重の反復作業工程が省略されるので，人件費が節減でき，その移線による安全事故などの危険がなくなる。
【００２２】
以上のように，本発明においては，ＬＰ碍子上の電線を架設する際において，開閉が可能な上下左右ローラが設けられた電線延線ローラをＬＰ碍子上に直接結合して使用する。このことにより，延線及び緊線後に電線の位置を変更する必要がないので，作業効率が劇的に向上し，作業が容易であり，人件費が効果的に節減でき，正確なディップ（ｄｉｐ）を調整することができる。
【図面の簡単な説明】
【００２３】
【図１】図１は本発明の電線延線ローラの開放状態を示す全体斜視図である。
【図２】図２は本発明の電線延線ローラの閉鎖状態を示す全体斜視図である。
【図３】図３は本発明の使用状態を示す斜視図である。
【図４】図４は本発明の使用状態を示す正面図である。
【図５】図５ａないし図５ｃは本発明の作業工程を説明する概略図である。
【図６】図６ａないし図６ｃは既設電線の配線工程を示す概略図である。
【符号の説明】
【００２４】
１：電線
１０：上部支持手段
１１，１１’：前後支持ブラケット
１２：上部ローラ
１３：取っ手
１４：係止溝
２０：垂直支持手段
２１：垂直ローラ
３０：碍子結合手段
３１：パッド
３２：締めクランプ
４０：開閉手段
４１：Ｌ状ローラ支持具
４２：縦ローラ
４３：下部ローラ
４４：ロッキング部
【国際公開パンフレット】
2004531190.tif 000003
2004531190.tif 000004
2004531190.tif 000005
2004531190.tif 000006
2004531190.tif 000007
2004531190.tif 000008
2004531190.tif 000009
2004531190.tif 000010
2004531190.tif 000011
2004531190.tif 000012
2004531190.tif 000013
2004531190.tif 000014
2004531190.tif 000015
2004531190.tif 000016
2004531190.tif 000017
2004531190.tif 000018
【国際調査報告】
2004531190.tif 000019
2004531190.tif 000020